(57)【要約】【課題】適切な映像を表示する。【解決手段】表示部１０５を備える映像受信装置１００における映像受信方法であって、映像データと、映像データ１１４の輝度ダイナミックレンジに対応する伝達関数をフレーム精度で特定するための第２伝達特性情報１１５とを含む受信信号１１１を受信する受信ステップ（Ｓ１１１）と、第２伝達特性情報１１５に応じてフレーム精度で表示部１０５の輝度ダイナミックレンジを制御しながら映像データ１１４を表示する表示ステップ（Ｓ１１４〜Ｓ１１６）とを含む。【選択図】図３
2017055383.tif 000002
【特許請求の範囲】
【請求項１】
表示部を備える映像受信装置における映像受信方法であって、
映像データと、前記映像データの輝度ダイナミックレンジに対応する伝達関数をフレーム精度で特定するための伝達特性情報とを含む受信信号を受信する受信ステップと、
前記伝達特性情報に応じてフレーム精度で前記表示部の輝度ダイナミックレンジを制御しながら前記映像データを表示する表示ステップとを含む
映像受信方法。
【請求項２】
前記映像受信方法は、さらに、
映像信号と音声信号とが多重化された前記受信信号を逆多重化する逆多重化ステップと、
逆多重化により得られた前記映像信号を復号することで、前記映像データと前記伝達特性情報とを取得する復号ステップとを含む
請求項１記載の映像受信方法。
【請求項３】
前記伝達特性情報は、前記映像信号に含まれるシーケンス単位の制御情報に含まれる
請求項２記載の映像受信方法。
【請求項４】
前記伝達特性情報は、第１輝度ダイナミックレンジに対応した第１伝達関数、又は、第１輝度ダイナミックレンジより広い第２ダイナミックレンジに対応した第２伝達関数をフレーム精度で特定するための情報であり、
前記表示ステップでは、前記表示部の輝度ダイナミックレンジを前記第１輝度ダイナミックレンジと前記第２輝度ダイナミックレンジとで切り替える
請求項１〜３のいずれか１項に記載の映像受信方法。
【請求項５】
前記映像受信方法は、さらに、
前記受信ステップにおいて、映像データを正しく取得できたかを判定する判定ステップを含み、
前記表示ステップでは、前記判定ステップにおいて映像データを正しく取得できなかったと判定された場合、前記表示部の輝度ダイナミックレンジを前記第１輝度ダイナミックレンジに設定する
請求項４記載の映像受信方法。
【請求項６】
前記判定ステップでは、前記判定として、イントラ符号化フレームを正しく復号できたかを判定する
請求項５記載の映像受信方法。
【請求項７】
映像データと、前記映像データの輝度ダイナミックレンジに対応する伝達関数をフレーム精度で特定するための伝達特性情報とを含む送信信号を生成する生成ステップと、
前記送信信号を送信する送信ステップとを含む
映像送信方法。
【請求項８】
前記生成ステップは、
前記映像データと前記伝達特性情報とを符号化することで映像信号を生成する符号化ステップと、
生成された前記映像信号と音声信号とを多重化することで前記送信信号を生成する多重化ステップとを含む
請求項７記載の映像送信方法。
【請求項９】
前記伝達特性情報は、前記映像信号に含まれるシーケンス単位の制御情報に含まれる
請求項８記載の映像送信方法。
【請求項１０】
前記伝達特性情報は、第１輝度ダイナミックレンジに対応した第１伝達関数、又は、第１輝度ダイナミックレンジより広い第２ダイナミックレンジに対応した第２伝達関数をフレーム精度で特定するための情報である
請求項７〜９のいずれか１項に記載の映像送信方法。
【請求項１１】
映像データと、前記映像データの輝度ダイナミックレンジに対応する伝達関数をフレーム精度で特定するための伝達特性情報とを含む受信信号を受信する受信部と、
前記伝達特性情報に応じてフレーム精度で輝度ダイナミックレンジを制御しながら前記映像データを表示する表示部とを備える
映像受信装置。
【請求項１２】
映像データと、前記映像データの輝度ダイナミックレンジに対応する伝達関数をフレーム精度で特定するための伝達特性情報とを含む送信信号を生成する生成部と、
前記送信信号を送信する送信部とを備える
映像送信装置。
【発明の詳細な説明】
【技術分野】
【０００１】
本発明は、映像受信方法、映像送信方法、映像受信装置及び映像送信装置に関する。
【背景技術】
【０００２】
従来の映像における暗部階調を維持しつつ、現行のＴＶ信号では表現不能な鏡面反射光などの明るい光を、より現実に近い明るさで表現するために最大輝度値を拡大した輝度範囲に対応させた方式として、ＨＤＲ（Ｈｉｇｈ  Ｄｙｎａｍｉｃ  Ｒａｎｇｅ）が注目されている。具体的には、これまでのＴＶ信号が対応している輝度範囲の方式は、ＳＤＲ（Ｓｔａｎｄａｒｄ  Ｄｙｎａｍｉｃ  Ｒａｎｇｅ）と呼ばれ、最大輝度値が１００ｎｉｔであったのに対して、ＨＤＲでは１０００ｎｉｔ以上まで最大輝度値を拡大することが想定されている。
【先行技術文献】
【非特許文献】
【０００３】
【非特許文献１】ＡＲＩＢ  ＳＴＡＮＤＡＲＤ  ＡＲＩＢ  ＳＴＤ−Ｂ６７  Ｖｅｒｓｉｏｎ  １．０  Ｊｕｌｙ  ３，  ２０１５
【発明の概要】
【発明が解決しようとする課題】
【０００４】
このような、複数の輝度ダイナミックレンジに対応した映像信号の送信又は受信においては、受信装置において、より適切な映像を表示できることが望まれている。
【０００５】
そこで、本発明は、適切な映像を表示できる映像受信方法、映像送信方法、映像受信装置又は映像送信装置を提供することを目的とする。
【課題を解決するための手段】
【０００６】
本発明の一態様に係る映像受信方法は、表示部を備える映像受信装置における映像受信方法であって、映像データと、前記映像データの輝度ダイナミックレンジに対応する伝達関数をフレーム精度で特定するための伝達特性情報とを含む受信信号を受信する受信ステップと、前記伝達特性情報に応じてフレーム精度で前記表示部の輝度ダイナミックレンジを制御しながら前記映像データを表示する表示ステップとを含む。
【０００７】
本発明の一態様に係る映像送信方法は、映像データと、前記映像データの輝度ダイナミックレンジに対応する伝達関数をフレーム精度で特定するための伝達特性情報とを含む送信信号を生成する生成ステップと、前記送信信号を送信する送信ステップとを含む。
【０００８】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラム及び記録媒体の任意な組み合わせで実現されてもよい。
【発明の効果】
【０００９】
本発明は、適切な映像を表示できる映像受信方法、映像送信方法、映像受信装置又は映像送信装置を提供できる。
【図面の簡単な説明】
【００１０】
【図１】図１は、実施の形態１に係る映像受信装置のブロック図である。
【図２】図２は、実施の形態１に係る表示制御部による処理のフローチャートである。
【図３】図３は、実施の形態１に係る映像受信処理のフローチャートである。
【図４】図４は、実施の形態１に係る伝達特性変化時の動作を示す図である。
【図５】図５は、実施の形態１に係る伝達特性変化時の動作を示す図である。
【図６】図６は、実施の形態１に係る映像送信装置のブロック図である。
【図７】図７は、実施の形態１に係る映像送信処理のフローチャートである。
【図８】図８は、実施の形態２に係る伝達特性変化時の異常動作を示す図である。
【図９】図９は、実施の形態２に係る映像受信装置のブロック図である。
【図１０】図１０は、実施の形態１に係る表示制御部による処理のフローチャートである。
【発明を実施するための形態】
【００１１】
（本発明の基礎となった知見）
映像信号のＯＥＴＦ（Ｏｐｔｉｃａｌ−Ｅｌｅｃｔｒｏ  Ｔｒａｎｓｆｅｒ  Ｆｕｎｃｔｉｏｎ：光電伝達関数）又はＥＯＴＦ（Ｅｌｅｃｔｒｏ−Ｏｐｔｉｃａｌ  Ｔｒａｎｓｆｅｒ  Ｆｕｎｃｔｉｏｎ：電光伝達関数）は、例えば、映像符号化標準のＩＴＵ−Ｔ  Ｈ．２６５｜ＩＳＯ／ＩＥＣ  ２３００８−２  ＨＥＶＣでは、Ｓｅｑｕｅｎｃｅ  Ｐａｒａｍｅｔｅｒ  Ｓｅｔ（ＳＰＳ）中のＶｉｄｅｏ  Ｕｓａｂｉｌｉｔｙ  Ｉｎｆｏｒｍａｔｉｏｎ（ＶＵＩ）において、ｔｒａｎｓｆｅｒ  ｃｈａｒａｃｔｅｒｉｓｔｉｃｓ（伝達特性）というシンタクスにより通知される。このＳＰＳの伝達特性を用いると、フレーム精度で伝達特性（伝達関数）の切り替わりを通知することができる。映像受信装置は伝達特性に基づいて、映像表示部の制御方法を決定する。
【００１２】
テレビ放送など映像信号と音響信号とを多重化して伝送する際に用いられるＭＰＥＧ−２  ＴＳ（トランスポートストリーム）標準では、上記ＳＰＳに含まれるパラメータ及びパラメータに関連する情報を、Ｐｒｏｇｒａｍ−ｓｐｅｃｉｆｉｃ  ｉｎｆｏｒｍａｔｉｏｎ（ＰＳＩ）のＤｅｓｃｒｉｐｔｏｒ（記述子）に記載し、より上位の層で映像受信装置の動作に関係する情報を通知する方法が知られている。伝達特性についても、ＰＳＩの記述子を利用することで、映像受信装置はより簡単に映像表示部の制御方法を決定できる。一般的に、ＰＳＩは一定周期で多重化ストリームに挿入されるため、映像信号のフレームとは同期していない。なお、ＭＰＥＧ−Ｈ  ＭＭＴ標準では、ＰＳＩと同様の仕組みがＭＭＴ−ＳＩとして規定されている。
【００１３】
伝達特性は、ＩＴＵ−Ｒ  ＢＴ．２０２０（以下、ＢＴ．２０２０）、ＡＲＩＢ  ＳＴＤ−Ｂ６７（以下、ＳＴＤ−Ｂ６７）、及びＳＭＰＴＥ  ＳＴ２０８４（以下、ＳＴ２０８４）などで規定されている。ＳＴＤ−Ｂ６７及びＳＴ２０８４は、高ダイナミックレンジ（ＨＤＲ）と呼ばれる、従来のＢＴ．２０２０より１０倍から１００倍の高輝度を含む映像信号を扱うことができる。ＨＤＲに対し、従来のＢＴ．２０２０などは標準ダイナミックレンジ（ＳＤＲ）と呼ばれる。
【００１４】
ＨＤＲに対応したテレビ放送では、番組毎又はコマーシャル毎にＨＤＲとＳＤＲとが混在する可能性がある。このため映像受信装置は、ＨＤＲかＳＤＲかに応じて表示部の制御を切り替えて動作する必要がある。
【００１５】
本発明の一態様に係る映像受信方法は、表示部を備える映像受信装置における映像受信方法であって、映像データと、前記映像データの輝度ダイナミックレンジに対応する伝達関数をフレーム精度で特定するための伝達特性情報とを含む受信信号を受信する受信ステップと、前記伝達特性情報に応じてフレーム精度で前記表示部の輝度ダイナミックレンジを制御しながら前記映像データを表示する表示ステップとを含む。
【００１６】
これにより、フレーム精度で表示部の輝度ダイナミックレンジを制御できるので、より適切な映像を表示できる。
【００１７】
例えば、前記映像受信方法は、さらに、映像信号と音声信号とが多重化された前記受信信号を逆多重化する逆多重化ステップと、逆多重化により得られた前記映像信号を復号することで、前記映像データと前記伝達特性情報とを取得する復号ステップとを含んでもよい。
【００１８】
例えば、前記伝達特性情報は、前記映像信号に含まれるシーケンス単位の制御情報に含まれてもよい。
【００１９】
例えば、前記伝達特性情報は、第１輝度ダイナミックレンジに対応した第１伝達関数、又は、第１輝度ダイナミックレンジより広い第２ダイナミックレンジに対応した第２伝達関数をフレーム精度で特定するための情報であり、前記表示ステップでは、前記表示部の輝度ダイナミックレンジを前記第１輝度ダイナミックレンジと前記第２輝度ダイナミックレンジとで切り替えてもよい。
【００２０】
例えば、前記映像受信方法は、さらに、前記受信ステップにおいて、映像データを正しく取得できたかを判定する判定ステップを含み、前記表示ステップでは、前記判定ステップにおいて映像データを正しく取得できなかったと判定された場合、前記表示部の輝度ダイナミックレンジを前記第１輝度ダイナミックレンジに設定してもよい。
【００２１】
これにより、エラー発生時に過度に明るい映像が表示されることを抑制できる。
【００２２】
例えば、前記判定ステップでは、前記判定として、イントラ符号化フレームを正しく復号できたかを判定してもよい。
【００２３】
また、本発明の一態様に係る映像送信方法は、映像データと、前記映像データの輝度ダイナミックレンジに対応する伝達関数をフレーム精度で特定するための伝達特性情報とを含む送信信号を生成する生成ステップと、前記送信信号を送信する送信ステップとを含む。
【００２４】
これにより、当該映像送信方法により生成された信号を受信する映像受信装置は、フレーム精度で表示部の輝度ダイナミックレンジを制御できるので、より適切な映像を表示できる。
【００２５】
例えば、前記生成ステップは、前記映像データと前記伝達特性情報とを符号化することで映像信号を生成する符号化ステップと、生成された前記映像信号と音声信号とを多重化することで前記送信信号を生成する多重化ステップとを含んでもよい。
【００２６】
例えば、前記伝達特性情報は、前記映像信号に含まれるシーケンス単位の制御情報に含まれてもよい。
【００２７】
例えば、前記伝達特性情報は、第１輝度ダイナミックレンジに対応した第１伝達関数、又は、第１輝度ダイナミックレンジより広い第２ダイナミックレンジに対応した第２伝達関数をフレーム精度で特定するための情報であってもよい。
【００２８】
また、本発明の一態様に係る映像受信装置は、映像データと、前記映像データの輝度ダイナミックレンジに対応する伝達関数をフレーム精度で特定するための伝達特性情報とを含む受信信号を受信する受信部と、前記伝達特性情報に応じてフレーム精度で輝度ダイナミックレンジを制御しながら前記映像データを表示する表示部とを備える。
【００２９】
これにより、映像受信装置は、フレーム精度で表示部の輝度ダイナミックレンジを制御できるので、より適切な映像を表示できる。
【００３０】
また、本発明の一態様に係る映像送信装置は、映像データと、前記映像データの輝度ダイナミックレンジに対応する伝達関数をフレーム精度で特定するための伝達特性情報とを含む送信信号を生成する生成部と、前記送信信号を送信する送信部とを備える。
【００３１】
これにより、当該映像送信装置により生成された信号を受信する映像受信装置は、フレーム精度で表示部の輝度ダイナミックレンジを制御できるので、より適切な映像を表示できる。
【００３２】
以下、実施の形態について、図面を参照しながら具体的に説明する。
【００３３】
なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００３４】
（実施の形態１）
本実施の形態に係る映像受信装置は、フレーム精度で伝達特性を示す伝達特性情報を用いて、フレーム精度で表示部の輝度ダイナミックレンジの制御を行う。これにより、当該映像受信装置は、より適切な映像を表示できる。
【００３５】
まず、本実施の形態に係る映像受信装置の構成を説明する。図１は、本実施の形態に係る映像受信装置１００のブロック図である。映像受信装置１００は、例えば、テレビ等であり、放送波により送信された受信信号１１１を受信し、受信した受信信号１１１に基づく映像を表示する。映像受信装置１００は、受信部１０１と、逆多重化部１０２と、映像復号部１０３と、表示制御部１０４と、表示部１０５とを備える。
【００３６】
受信部１０１は、受信信号１１１を受信する。受信信号１１１は、映像信号と音声信号とが多重化されたシステムストリームである。
【００３７】
逆多重化部１０２は、受信信号１１１を逆多重化（システム復号）することで、映像ストリームである映像信号１１２を生成する。また、逆多重化部１０２は、受信信号１１１に含まれるデスクリプタ等から取得した伝達特性を、第１伝達特性情報１１３として出力する。つまり、第１伝達特性情報１１３は、多重化レイヤ（Ｍｕｌｔｉｐｌｅｘｉｎｇ  Ｌａｙｅｒ）に含まれる。
【００３８】
映像復号部１０３は、映像信号１１２を復号することで映像データ１１４を生成する。また、映像復号部１０３は、ＳＰＳから取得した伝達特性を、第２伝達特性情報１１５として出力する。つまり、第２伝達特性情報１１５は、映像符号化レイヤ（Ｖｉｄｅｏ  Ｃｏｄｉｎｇ  Ｌａｙｅｒ）に含まれる。
【００３９】
この第２伝達特性情報１１５は、映像データ１１４の輝度ダイナミックレンジに対応するフレーム精度での伝達関数（ＯＥＴＦ又はＥＯＴＦ）を特定するための情報である。例えば、この第２伝達特性情報１１５は、第１輝度ダイナミックレンジ（ＳＤＲ）に対応した第１伝達関数、又は、第１輝度ダイナミックレンジより広い第２ダイナミックレンジ（ＨＤＲ）に対応した第２伝達関数をフレーム精度で特定するための情報である。つまり、第２伝達特性情報１１５は、映像データ１１４がＳＤＲであるかＨＤＲであるかを示す。また、ＨＤＲに複数の形式が存在する場合には、第２伝達特性情報１１５は、どの形式のＨＤＲであるかを示してもよい。つまり、第２伝達特性情報１１５は、映像データ１１４の輝度ダイナミックレンジを示し、例えば、予め定められた複数の輝度ダイナミックレンジのうちのいずれかを示す。
【００４０】
また、ＳＰＳとは、映像信号１１２に含まれる、シーケンス単位（複数フレーム単位）の制御情報である。
【００４１】
表示制御部１０４は、第１伝達特性情報１１３及び第２伝達特性情報１１５に応じて、表示部１０５を制御する制御情報１１６を生成する。
【００４２】
表示部１０５は、制御情報１１６（つまり第１伝達特性情報１１３及び第２伝達特性情報１１５）に応じてフレーム精度で輝度ダイナミックレンジを制御しながら映像データ１１４を表示する。この表示部１０５は、映像特性変換部１０６と、表示デバイス１０７とを備える。
【００４３】
映像特性変換部１０６は、制御情報１１６に応じて、映像データ１１４を変換することで入力信号１１７を生成する。具体的には、映像特性変換部１０６は、第１伝達特性情報１１３又は第２伝達特性情報１１５で示される伝達関数を用いて、映像データ１１４を入力信号１１７に変換する。
【００４４】
表示デバイス１０７は、例えば、液晶パネルであり、制御情報１１６に応じて、表示する映像の輝度ダイナミックレンジを変更する。例えば、表示デバイス１０７が液晶パネルの場合には、表示デバイス１０７は、バックライトの最高輝度を変更する。
【００４５】
次に、映像受信装置１００の動作を説明する。なお、図１では、第１伝達特性情報１１３及び第２伝達特性情報１１５の両方を用いる構成を記載しているが、少なくとも第２伝達特性情報１１５が用いられればよい。以下、第２伝達特性情報１１５を用いた制御について詳細に説明する。
【００４６】
図２は、表示制御部１０４による表示制御処理のフローチャートである。なお、図２に示す処理は、フレーム単位、又は第２伝達特性情報１１５が変更される毎に行われる。
【００４７】
まず、表示制御部１０４は、第２伝達特性情報１１５によりＳＤＲ及びＨＤＲのいずれか示されるかを判定する（Ｓ１０１）。
【００４８】
第２伝達特性情報１１５によりＨＤＲが示される場合（Ｓ１０１でＹｅｓ）、表示制御部１０４は、ＨＤＲ表示用の制御情報１１６を出力する（Ｓ１０２）。これにより、表示部１０５は、ＨＤＲに対応する輝度ダイナミックレンジで映像を表示する。
【００４９】
一方、第２伝達特性情報１１５によりＳＤＲが示される場合（Ｓ１０１でＮｏ）、表示制御部１０４は、ＳＤＲ表示用の制御情報１１６を出力する（Ｓ１０３）。これにより、表示部１０５は、ＳＤＲに対応する輝度ダイナミックレンジで映像を表示する。
【００５０】
このように、フレーム精度で通知される第２伝達特性情報１１５に応じて制御情報１１６を切り替えることで、伝達特性の切り替わりと表示部１０５の制御とをフレーム精度で同期できる。
【００５１】
なお、複数のＨＤＲ方式（例えば、ＳＴＤ−Ｂ６７及びＳＴ２０８４）が存在する場合には、ＨＤＲ表示用の制御情報１１６に、ＨＤＲ方式の識別情報が含まれてもよい。これにより、表示部１０５は、対応する方式の輝度ダイナミックレンジで映像を表示できる。
【００５２】
図３は、映像受信装置１００による映像受信処理のフローチャートである。まず、受信部１０１は、受信信号１１１を受信する（Ｓ１１１）。次に、逆多重化部１０２は、受信信号１１１を逆多重化することで、映像信号１１２を生成する（Ｓ１１２）。次に、映像復号部１０３は、映像信号１１２を復号することで映像データ１１４を生成するとともに、第２伝達特性情報１１５を取得する（Ｓ１１３）。
【００５３】
次に、表示制御部１０４は、第２伝達特性情報１１５に応じて表示部１０５の輝度ダイナミックレンジを制御する。具体的には、表示制御部１０４は、第２伝達特性情報１１５に基づき、各フレームがＨＤＲであるかＳＤＲであるかをフレーム精度で判定する（Ｓ１１４）。ＨＤＲである場合には（Ｓ１１４でＹｅｓ）、表示部１０５はＨＤＲの輝度ダイナミックレンジで映像を表示する（Ｓ１１５）。ＳＤＲである場合には（Ｓ１１４でＮｏ）、表示部１０５はＳＤＲの輝度ダイナミックレンジで映像を表示する（Ｓ１１６）。
【００５４】
図４は、ＳＤＲ番組からＨＤＲ番組への切り替え時の様子を示す図である。図５は、ＨＤＲ番組からＳＤＲ番組への切り替え時の様子を示す図である。図４及び図５に示すように、上記処理により、フレーム精度でＳＤＲとＨＤＲとの切り替えを適切に行うことができる。
【００５５】
以下、上述した受信信号１１１に対応する送信信号２１２を生成する映像送信装置２００について説明する。図６は、本実施の形態に係る映像送信装置２００のブロック図である。図６に示す映像送信装置２００は、生成部２０１と、送信部２０２とを備える。
【００５６】
生成部２０１は、映像データと、当該映像データの輝度ダイナミックレンジに対応する伝達関数をフレーム精度で特定するための第２伝達特性情報とを含む送信信号２１２を生成する。生成部２０１は、映像符号化部２０３と、多重化部２０４とを含む。
【００５７】
図７は、映像送信装置２００による映像送信処理のフローチャートである。まず、映像符号化部２０３は、映像データと第２伝達特性情報とを符号化することで映像信号２１１を生成する（Ｓ２０１）。この第２伝達特性情報は、上述した第２伝達特性情報１１５に対応し、第１輝度ダイナミックレンジ（例えばＳＤＲ）に対応した第１伝達関数、又は、第１輝度ダイナミックレンジより広い第２ダイナミックレンジ（例えばＨＤＲ）に対応した第２伝達関数をフレーム精度で特定するための情報である。また、第２伝達特性情報は、映像信号２１１に含まれるＳＰＳ内に格納される。
【００５８】
次に、多重化部２０４は、符号化された映像信号２１１と音声信号とを多重化することで送信信号２１２を生成する（Ｓ２０２）。次に、送信部２０２は、生成された送信信号２１２を送信する（Ｓ２０３）。
【００５９】
以上により、映像送信装置２００は、フレーム精度で伝達関数を特定するための第２伝達特性情報を含む送信信号２１２を生成する。これにより、送信信号２１２を受信する映像受信装置は、フレーム精度で表示部の輝度ダイナミックレンジを制御できるので、より適切な映像を表示できる。
【００６０】
（実施の形態２）
ＴＶ放送では、地上波又は衛星などの電波状況によってエラーが発生する場合がある。図８は、電波障害等のより受信エラーが発生した場合の様子を示す図である。図８に示すように、ＳＤＲからＨＤＲへの切り替わり時において、映像受信装置がＳＰＳ内の第２伝達特性情報１１５を取得後に、電波障害等により、映像ストリームが欠落し、ＨＤＲの最初のフレームが取得できない場合を想定する。この場合、映像復号部１０３は、エラー隠蔽のために直前のフレームを引き続き表示する。つまり、ＳＤＲ番組のフレームが繰り返し表示される。
【００６１】
この場合、このフレームが後続のフレームから参照されることで、後続の映像として、過去の番組の映像が混じった異常な映像が表示されてしまう。
【００６２】
また、切り替え直後においては、表示部の輝度ダイナミックレンジがＨＤＲに設定されるため、ＳＤＲ番組のフレームがＨＤＲの輝度ダイナミックレンジで表示されてしまう。これにより、本来の意図よりも高輝度の映像が表示されるという問題がある。
【００６３】
本実施の形態ではこの問題に対応した映像受信装置について説明する。図９は、本実施の形態に係る映像受信装置１００Ａのブロック図である。図９に示す映像受信装置１００Ａは、図１に示す映像受信装置１００に対して、さらに、異常検知部１０８と、表示部１０５Ａ内のメッセージ重畳部１０９とを備える。また、表示制御部１０４Ａに機能が追加されている。
【００６４】
異常検知部１０８は、映像データ１１４（映像信号１１２）を正しく取得できたかを判定する。具体的には、異常検知部１０８は、パケットのシーケンス番号に基づいてパケットロスを検出するとともに、パケットのペイロードを解析してフレームデータの開始位置を取得することで、フレームデータを全て取得したか（正常）、フレームデータの一部のみを取得したか（異常）を判定する。また、異常検知部１０８は、判定結果を示す異常通知情報１１８を表示制御部１０４Ａに出力する。つまり、異常が発生したこと、又は、異常が発生したフレームを特定するための情報が表示制御部１０４Ａに通知される。
【００６５】
表示制御部１０４Ａは、第１伝達特性情報１１３及び第２伝達特性情報１１５に加え、異常通知情報１１８に応じて、制御情報１１６及びメッセージ１１９を生成する。具体的には、表示制御部１０４Ａは、異常がある場合に、異常があることを示すメッセージ１１９を生成するとともに、ＳＤＲ表示用の制御情報１１６を生成する。
【００６６】
メッセージ重畳部１０９は、制御情報１１６及びメッセージ１１９に応じて、映像データ（入力信号１１７）にメッセージ１１９を重畳することで入力信号１２０を生成し、生成した入力信号１２０を表示デバイス１０７に出力する。これにより、例えば、「エラーが発生しました」などのメッセージが表示デバイス１０７に表示されることで、機器の故障でないことを視聴者に伝えることができる。
【００６７】
図１０は、表示制御部１０４Ａのよる表示制御処理のフローチャートである。まず、表示制御部１０４Ａは、第２伝達特性情報１１５が更新されたかを判定する（Ｓ１２１）。第２伝達特性情報１１５が更新された場合（Ｓ１２１でＹｅｓ）、表示制御部１０４Ａは、表示制御の切り替えの判断を開始する。
【００６８】
まず、表示制御部１０４Ａは、映像データを正しく取得できたかを判定する。具体的には、表示制御部１０４Ａは、異常通知情報１１８に基づきイントラ符号化フレームが正常に復号されたかを判定する（Ｓ１２２）。イントラ符号化フレームが正常に復号されていない場合（Ｓ１２２でＮｏ）、表示制御部１０４Ａは、表示制御部１０４は、ＳＤＲ表示用の制御情報１１６を出力する（Ｓ１２３）。これにより、表示部１０５は、ＳＤＲに対応する輝度ダイナミックレンジで映像を表示する。つまり、表示制御部１０４Ａは、映像データを正しく取得できなかったと判定された場合、表示部１０５の輝度ダイナミックレンジをＳＤＲ（第１輝度ダイナミックレンジ）に設定する。
【００６９】
切り替え時においてエラーが発生した場合には、表示されるフレームに切替え前のフレームの画素が含まれる可能性がある。これに対して、本実施の形態では、このような場合に、表示制御をＳＤＲ表示用に設定することで、ＳＤＲ番組のフレームがＨＤＲの高輝度設定で表示されることを抑制できる。
【００７０】
また、ＨＥＶＣのＩＤＲ又はＣＲＡなど、飛び込み再生を保証しているイントラ符号化フレームが正常に復号された場合（Ｓ１２２でＹｅｓ）、実施の形態１と同様に表示制御を切り替える。つまり、表示制御部１０４Ａは、更新後の第２伝達特性情報１１５によりＳＤＲ及びＨＤＲのいずれか示されるかを判定する（Ｓ１２４）。第２伝達特性情報１１５によりＨＤＲが示される場合（Ｓ１２４でＹｅｓ）、表示制御部１０４Ａは、ＨＤＲ表示用の制御情報１１６を出力する（Ｓ１２５）。一方、第２伝達特性情報１１５によりＳＤＲが示される場合（Ｓ１２４でＮｏ）、表示制御部１０４Ａは、ＳＤＲ表示用の制御情報１１６を出力する（Ｓ１２６）。
【００７１】
このように、本実施の形態に係る映像受信装置１００Ａは、エラー発生時にＳＤＲの輝度ダイナミックレンジで映像を表示することで、エラー発生時に過度に明るい映像が表示されることを抑制できる。
【００７２】
以上、本発明の実施の形態に係る映像受信装置及び映像送信装置について説明したが、本発明は、この実施の形態に限定されるものではない。
【００７３】
また、上記実施の形態に係る映像受信装置及び映像送信装置に含まれる各処理部は典型的には集積回路であるＬＳＩとして実現される。これらは個別に１チップ化されてもよいし、一部又は全てを含むように１チップ化されてもよい。
【００７４】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【００７５】
また、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【００７６】
また、本発明は、映像受信装置又は映像送信装置により実行される映像受信方法又は映像送信方法として実現されてもよい。
【００７７】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【００７８】
また、フローチャートにおける各ステップが実行される順序は、本発明を具体的に説明するために例示するためのものであり、上記以外の順序であってもよい。また、上記ステップの一部が、他のステップと同時（並列）に実行されてもよい。
【００７９】
以上、一つまたは複数の態様に係る映像受信装置及び映像送信装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【産業上の利用可能性】
【００８０】
本発明は、ＴＶ等の映像受信装置及び映像送信装置に適用できる。
【符号の説明】
【００８１】
１００、１００Ａ  映像受信装置
１０１  受信部
１０２  逆多重化部
１０３  映像復号部
１０４、１０４Ａ  表示制御部
１０５、１０５Ａ  表示部
１０６  映像特性変換部
１０７  表示デバイス
１０８  異常検知部
１０９  メッセージ重畳部
１１１  受信信号
１１２、２１１  映像信号
１１３  第１伝達特性情報
１１４  映像データ
１１５  第２伝達特性情報
１１６  制御情報
１１７、１２０  入力信号
１１８  異常通知情報
１１９  メッセージ
２００  映像送信装置
２０１  生成部
２０２  送信部
２０３  映像符号化部
２０４  多重化部
２１２  送信信号
【図１】
2017055383.tif 000003
【図２】
2017055383.tif 000004
【図３】
2017055383.tif 000005
【図４】
2017055383.tif 000006
【図５】
2017055383.tif 000007
【図６】
2017055383.tif 000008
【図７】
2017055383.tif 000009
【図８】
2017055383.tif 000010
【図９】
2017055383.tif 000011
【図１０】
2017055383.tif 000012